(57)【要約】      （修正有）【課題】シンプルな構成で、コンパクトに携帯及び保管できる保冷温バッグを提供する。【解決手段】断熱層を含むシート材から構成される柔軟な袋体であって、開閉自在な開口を有する本体３と、本体に取り付けられた把持部５と、本体の内面に取り付けられるとともに、折り畳まれた本体の外面に係脱自在に巻き回される結束紐７と、を具備する。結束紐は、一端において本体の開口縁に取り付けられ、把持部は、ユーザの肩に掛けられるほどの長さを有している。【選択図】図１
0003226389.tif 000002
【実用新案登録請求の範囲】
【請求項１】
断熱層を含むシート材から構成される袋体であって、開閉自在な開口を有する本体と、
前記本体に取り付けられた把持部と、
前記本体の内面に取り付けられるとともに、折り畳まれた前記本体の外面に係脱自在に巻き回される結束紐と、
を具備することを特徴とする保冷温バッグ。
【請求項２】
前記結束紐は、一端において前記本体の開口縁に取り付けられていること、
を特徴とする請求項１に記載の保冷温バッグ。
【請求項３】
前記把持部は、３０〜６０ｃｍであること、
を特徴とする請求項１又は２に記載の保冷温バッグ。
【考案の詳細な説明】
【技術分野】
【０００１】
本考案は、コンパクトに携帯及び保管できる保冷温バッグに関する。
【背景技術】
【０００２】
例えば特許文献１（実用新案登録第３１８３９６９号）は、携帯に適したコンパクトな形態にできる買物用バックを提案している。この買物用バッグは、底面部と、底面部を囲む四面の側面部をもち、上面の開口部を物品の出し入れ口とし、この開口部の内周縁部にこの開口部を開閉可能に被う巾着部を装着し、この巾着部を折り畳み可能な柔らかな材質で形成し、側面部に提げ部を取り付けたバッグである。そして、側面部及び提げ部を折り畳み可能な柔らか材質で形成し、底面部を二つの底面部分が折り畳み連結部を介して折り重ね態様に折り畳み可能に形成し、二つの底面部分をそれぞれの面形状が維持可能な硬めの底面部分に形成し、二つの底面部分の折り畳み連結部側を除いたそれぞれの三方の周辺部に折り重ね状態で閉じることができる開閉用スライドファスナを装着している。この買物用バッグは、買物バッグとして使用しない時には、開閉用スライドファスナを全開して平面形状に開いた底面部の内側面の範囲内に納まるように側面部と巾着部及び提げ部を折り畳み、それぞれの面形状を維持可能な硬めの底面部分にそれぞれ形成された二つの底面部分の間に折り畳まれた側面部と巾着部及び提げ部が納められた状態に折り畳み連結部を介して二つの底面部分を折り重ね、この折り重ね状態で開閉用スライドファスナを閉じれば、二つの底面部分の外側面を表にして形成された扁平状の小バッグ内に買物バッグの全体を折り畳み形態に納めて保持できる。
【先行技術文献】
【特許文献】
【０００３】
【特許文献１】実用新案登録第３１８３９６９号公報
【考案の概要】
【考案が解決しようとする課題】
【０００４】
しかし、上記買物用バッグでは、二つの硬めの底面部分を折り重ね状態で閉じる開閉用スライドファスナを必要とし、商品コストの増加を避けられない。
【０００５】
そこで、本考案の目的は、シンプルな構成で、コンパクトに携帯及び保管できる保冷温バッグを提供することにある。
【課題を解決するための手段】
【０００６】
上記の課題を解決すべく、本考案は、
断熱層を含むシート材から構成される柔軟な袋体であって、開閉自在な開口を有する本体と、
前記本体に取り付けられた把持部と、
前記本体の内面に取り付けられるとともに、折り畳まれた前記本体の外面に係脱自在に巻き回される結束紐と、
を具備することを特徴とする保冷温バッグを提供する。
【０００７】
また、本考案の保冷温バッグでは、前記結束紐は、一端において前記本体の開口縁に取り付けられていること、が好ましい。
【０００８】
また、本考案の保冷温バッグでは、前記把持部は、ユーザの肩に掛けられるほどの長さ（３０〜６０ｃｍ）を有すること、が好ましい。
【考案の効果】
【０００９】
上記のような構成の本考案によれば、シンプルな構成で、コンパクトに携帯及び保管できる保冷温バッグを提供することができる。したがって、製造コストを抑えることができる。
【図面の簡単な説明】
【００１０】
【図１】本実施形態に係る保冷温バッグ１の正面図である。
【図２】保冷温バッグ１の側面図である。
【図３】本体３が折り畳まれる一過程を示す正面図である。
【図４】本体３が折り畳まれる一過程を示す正面図である。
【図５】折り畳まれた状態の本体３を示す正面図及び側面図である。
【図６】折り畳まれた本体３に結束紐７が巻き回される一過程を示す側面図である。
【図７】折り畳まれた本体３に結束紐７が巻き回される一過程を示す側面図である。
【図８】結束された状態の保冷温バッグ１を示す側面図及び正面図である。
【考案を実施するための形態】
【００１１】
以下、本考案に係る保冷温バッグの一実施形態について、図面を参照しつつ詳細に説明する。ただし、本考案はこれら図面に限定されるものではない。また、図面は、本考案を概念的に説明するためのものであるから、理解容易のために、必要に応じて寸法、比又は数を誇張又は簡略化して表している場合もある。
【００１２】
保冷温バッグ１は、折り畳むことが可能な柔軟なバッグであり（即ち、折り目が元からあってもなくても折り畳むことが可能であり）、図１及び図２に示すように、本体３、把持部５及び結束紐７を有する。
【００１３】
本体３は、略矩形の袋体をなし、三方が閉じられていて一方が開口部となっており、ファスナ３１によって開口部を開いたり閉じたりすることができる。ファスナ３１としては、スライドファスナを想定しているが、面ファスナやボタンでもよい。
【００１４】
本体３は、断熱層を含むシート材から構成される柔軟な袋体であって、開閉自在な開口を有する。本体３の内面に施されたアルミ蒸着加工ともあいまって、収納物の保冷及び保温が可能となっている。断熱材は、例えばシート状の発泡ポリエチレン、発泡ポリエステルなどの柔軟な樹脂素材であり、したがって本体３は折り畳み可能である。
【００１５】
本体３の外面の上縁部には、把持部５が取り付けられている。把持部５は、紐状ないしは帯状の部材であり、ユーザの肩に掛けられるほどの長さを有することが好ましい。例えば、把持部５は６６０ｍｍほどの長さを有する。
【００１６】
結束紐７は、折り畳んだ状態の本体３を結束する。本実施形態では、使用時の見映えを考慮し、結束紐７が本体３の内面に取り付けられている。また、使い勝手の観点からは、結束紐７は、本体３の開口縁ないしその近傍に設けられているとよい。
【００１７】
結束紐７は、所定の位置に、保持手段としてのボタン７１，７３を有している。ただし、面ファスナ、クリップなどの他の保持手段が結束紐７に設けられてもよい。したがって、折り畳まれた本体３に結束紐７を巻き付けて保持することができ、保冷温バッグ１を簡単にかつコンパクトに携帯及び保管することができる。
【００１８】
次いで、保冷温バッグ１を折り畳む手順の一例を説明する。結束紐７を保冷温バッグ１の外側に出した状態で、保冷温バッグ１の両側を図３に符号Ａ，Ｂで示す軸線に沿って折り込む。次いで、保冷温バッグ１の下部を図４に符号Ｃで示す軸線に沿って折り畳む。そして、結束紐７を保冷温バッグ１の外面に沿って巻き回し（図５−図７参照）、ボタン７１，７３同士を係合する（図８参照）。これにより、本体３を折り畳んだ状態でコンパクトに保持することができる。
【００１９】
したがって、保冷温バッグ１を簡単にかつコンパクトに携帯及び保管することができ、持ち運びに便利である。また、保冷温バッグ１は、レジャー用から毎日の買い物まで幅広く利用可能である。
【００２０】
以上、本発明の代表的な実施形態について説明したが、本発明はこれらに限定されるものではなく、種々の設計変更が可能であり、それらも本発明に含まれる。
【符号の説明】
【００２１】
１・・・保冷温バッグ
３・・・本体
５・・・把持部
７・・・結束紐
【図１】
0003226389.tif 000003
【図２】
0003226389.tif 000004
【図３】
0003226389.tif 000005
【図４】
0003226389.tif 000006
【図５】
0003226389.tif 000007
【図６】
0003226389.tif 000008
【図７】
0003226389.tif 000009
【図８】
0003226389.tif 000010